(57)【要約】  【課題】  板バネやピンなどの別部品を必要とせずに乗り越え嵌合によって容易に組み付け可能にする。  【解決手段】  筒体１とクリップ２の対向面に凹部３ａと凸部３ｂを夫々設け、これら凹部３ａと凸部３ｂを乗り越え嵌合により嵌め合わせることで、筒体１に対しクリップ２を連結したため、凹部３ａ及び凸部３ｂのみで支持構造が完成する。  【選択図】      図１
2006289726.tif 000002
【特許請求の範囲】
【請求項１】
筆記具（Ａ）の筒体（１）にクリップ（２）を連結するクリップ取り付け装置において、
前記筒体（１）とクリップ（２）の対向面に凹部（３ａ）と凸部（３ｂ）を夫々設け、これら凹部（３ａ）と凸部（３ｂ）を乗り越え嵌合により嵌め合わせることで、筒体（１）に対しクリップ（２）を連結したことを特徴とするクリップ取り付け装置。
【請求項２】
上記筒体（１）又はクリップ（２）に凹部（３ａ）及び凸部（３ｂ）の少なくともどちらか一方を一対設け、他方にはそれと連続して傾斜ガイド（６）を形成し、この傾斜ガイド（６）沿いに凹部（３ａ）又は凸部（３ｂ）の一方を摺動させることで、これら一対の間隔を他方との嵌め合いに必要な間隔まで弾性的に広げるような位置関係としたことを特徴とする請求項２記載のクリップ取り付け装置。
【請求項３】
上記凹部（３ａ）と凸部（３ｂ）を嵌め合わせることで、筒体（１）に対してクリップ（２）を回転自在に連結し、この凸部（３ｂ）を、凹部（３ａ）と互いに面接触する平坦部分（３ｃ）が形成された断面多角形状にし、挟み片部（２ａ）の開閉動に対応する所定角度領域のみを曲面接触させたことを特徴とする請求項１又は２記載のクリップ取り付け装置。
【発明の詳細な説明】
【技術分野】
【０００１】
本発明は、筆記具のキャップや軸筒などの筒体の表面にクリップを装着するためのクリップ取り付け装置に関する。
詳しくは、主に筆記具の筒体に対しクリップが支点などを中心として回転自在に連結されるクリップ取り付け装置に関する。
【背景技術】
【０００２】
従来、この種のクリップ取り付け装置として、キャップや軸筒などの筒体の表面側に、板バネなどからなる略Ｕ字状の挟みバネの一端側を、該筒体頂部側に形成された挿入孔に挿込み状に固定し、この挟みバネの他端側を筒体の表面に沿わしめ、これらクリップ及び筒体の対向面に形成される枢支部にクリップを枢支すると共に、この枢支部よりもクリップの前端側に前記挟みバネの他端部を掛止させて、クリップの前端部が筒体表面に弾圧接するようにクリップを筒体に取付けたものがある（例えば、特許文献１参照）。
また、筆記具などの本体又はキャップにクリップ（被覆止め具）の支点回転軸を取り付ける孔が開けられ、それにクリップの支点回転軸の孔を位置合わせし、回転軸で連結すると共に、これらクリップの裏側と本体又はキャップとの間に、略くの字形に折れ曲がった板バネを設けて、該クリップの頂部側に配置した押部を押圧することにより、板バネが圧縮変形してクリップを開動させるものがある（例えば、特許文献２参照）。
【０００３】
しかし乍ら、このような従来のクリップ取り付け装置によれば、特許文献１の場合、筒体とクリップを別部品の板バネなどで回転自在に連結するため、この挟みバネの分だけ部品点数が増えてコストアップになるいう問題があった。
また、特許文献２の場合には、筆記具などの本体又はキャップとクリップを別部品の回転軸で回転自在に連結するため、この回転軸の分だけ部品点数が増えてコストアップになるいう問題があった。
更に、筆記具などの本体又はキャップの所定位置にクリップを正確に位置合わせした後に回転軸を挿入し、その後に該回転軸の抜け止め加工を行う必要があるため、組み付け作業の工程数が多くて手間がかかるという問題もあった。
【特許文献１】特許第３１７５９３３号公報（第１−３頁、図１−６）
【特許文献２】特開２０００−７９７９２号公報（第１−２頁、図１−８）
【発明の開示】
【発明が解決しようとする課題】
【０００４】
本発明は、上記従来事情に鑑みてなされたもので、その課題とするところは、板バネやピンなどの別部品を必要とせずに乗り越え嵌合によって容易に組み付け可能なクリップ取り付け装置を提供することにある。
【課題を解決するための手段】
【０００５】
上記課題を解決するために、第一の発明では、筆記具の筒体にクリップを連結するクリップ取り付け装置において、前記筒体とクリップの対向面に凹部と凸部を夫々設け、これら凹部と凸部を乗り越え嵌合により嵌め合わせることで、筒体に対しクリップを連結したことを特徴とする。
ここで、上記筆記具の筒体とは、キャップや軸筒などである。
また、第二の発明では、上記第一の発明の構成に加えて、上記筒体又はクリップに凹部及び凸部の少なくともどちらか一方を一対設け、他方にはそれと連続して傾斜ガイドを形成し、この傾斜ガイド沿いに一方を摺動させることで、これら一対の間隔を他方との嵌め合いに必要な間隔まで弾性的に広げるような位置関係としたことを特徴とする。
また、第三の発明では、上記第一又は第二の発明の構成に加えて、上記凹部と凸部を嵌め合わせることで、筒体に対してクリップを回転自在に連結し、この凸部を、凹部と互いに面接触する平坦部分が形成された断面多角形状にし、挟み片部の開閉動に対応する所定角度領域のみを曲面接触させたことを特徴とする。
【発明の効果】
【０００６】
本発明は、上記構成により下記の作用効果を奏する。
第一の発明によれば、筒体とクリップの対向面に凹部と凸部を夫々設け、これら凹部と凸部を乗り越え嵌合により嵌め合わせることで、筒体に対しクリップを連結したため、凹部及び凸部のみで支持構造が完成する。
従って、板バネやピンなどの別部品を必要とせずに乗り越え嵌合によって容易に組み付けることができる。
よって、別部品でクリップを連結する従来技術と比べ、部品点数を減らすことができると共に、組み付け作業が短時間で完了して、製造コストの低減化が図れる。
【０００７】
第二の発明によれば、筒体又はクリップに凹部及び凸部の少なくともどちらか一方を一対設け、他方にはそれと連続して傾斜ガイドを形成し、この傾斜ガイド沿いに一方を摺動させることで、これら一対の間隔を他方との嵌め合いに必要な間隔まで弾性的に広げるような位置関係としたため、凹部と凸部とが傾斜ガイドに沿ったスライド操作のみでスムーズに連結される。
従って、組立作業を容易にすることができる。
よって、筆記具などの本体又はキャップにクリップを正確に位置合わせしてから回転軸を挿入し、この回転軸の抜け止め加工が必要な従来技術と比べ、組み付け作業が更に短時間で完了し、大量生産に向いている。
【０００８】
第三の発明によれば、凹部と凸部を嵌め合わせることで、筒体に対してクリップを回転自在に連結し、この凸部を、凹部と互いに面接触する平坦部分が形成された断面多角形状にし、挟み片部の開閉動に対応する所定角度領域のみを曲面接触させたため、凸部の断面積が断面円形状のピンなどに比べ増大する。
従って、支点の強度アップを図ることができる。
更に、平坦部分の接触によりクリップを閉じた時の安定性が向上してガタ付きを減らすことができる。
【発明を実施するための最良の形態】
【０００９】
本発明のクリップ取り付け装置は、図１〜図３に示す如く、筆記具Ａのキャップや軸筒などの筒体１とクリップ２の対向面に、支点３を構成する凹部３ａと凸部３ｂを夫々設け、これら筒体１とクリップ２を接近させて夫々の凹部３ａと凸部３ｂとを、例えば乗り越え嵌合などにより嵌め合わせることで、筒体１に対しクリップ２が回転自在に連結され、これら筒体１とクリップ２との間に弾性材４を設けて、該クリップ２の軸方向へ延びる挟み片部２ａを開閉動自在に支持している。
【００１０】
そして、本発明のクリップ取り付け装置には、図示せぬが前記凹部３ａと凸部３ｂを例えば乗り越え嵌合などの嵌め合わせにより、弾性変形可能な材質からなるクリップ２の内側端部を筒体１に対して回転不能に連結し、このクリップ２の弾性変形を利用して開閉動させるように支持するような別の構造も含まれる。
【００１１】
前記キャップや軸筒などの筒体１は、主に合成樹脂などで円筒状又は角筒状に形成され、その外周面１ａには図示例の場合、径方向外側へ突出する支持台５を一体形成するか或いは一体的に設け、この支持台５に上記支点３の凹部３ａ又は凸部３ｂのどちらか一方を一体形成するか或いは一体的に設けることで、該支点３を筒体１の外側に配置している。
【００１２】
上記クリップ２は、弾性変形可能な合成樹脂や金属などで形成され、その長手方向に延びる挟み片部２ａを、前記筒体１の外周面１ａに沿って配置し、この外周面１ａと対向する該挟み片部２ａの内面側に、上記支点３の凹部３ａ又は凸部３ｂの他方を一体形成するか或いは一体的に設けている。
【００１３】
前記凹部３ａと凸部３ｂは、互いに嵌め合う形状に形成され、これら凹部３ａ及び凸部３ｂの少なくともどちらか一方を、前記筒体１の軸方向と直交する方向へ適宜間隔が開くように一対設け、他方にはそれと連続して傾斜ガイド６を形成し、この傾斜ガイド６に沿って、一対配置された凹部３ａ又は凸部３ｂの一方を摺動させることにより、これら一対配置された凹部３ａ又は凸部３ｂの一方の間隔を、他方との嵌め合いに必要な間隔まで弾性的に広げるような位置関係となっている。
【００１４】
また、前記凸部３ｂは、凹部３ａと互いに面接触する平坦部分３ｃを有する断面形状が例えば略正四角形などの断面多角形状に形成して、支点３の構成部品として周知なピンなどの断面円形状に比べ断面積を増大させることにより、支点３が強度アップになると共に、この凸部３ｂの上記挟み片部２ａの開閉動に伴って回転移動する所定角度領域のみを曲率の小さな曲面部３ｄとし、クリップ２の開閉動作に伴ってスムーズに回転するようになっている。
図示例では、略正四角形に形成された凸部３ｂの頂端側に配置した角部のどちらか一方を曲率の小さな曲面部３ｄとしている。
以下、本発明の一実施例を図面に基づいて説明する。
【実施例１】
【００１５】
この実施例１は、図１（ａ）（ｂ）及び図３に示す如く、上記筒体１がキャップであり、このキャップ１の外周面１ａに突設された支持台５に、支点３の凹部３ａと傾斜ガイド６を夫々一体形成し、略Ｌ字形のクリップ２の挟み片部２ａの内面に一対の凸部３ｂを、該凹部３ａ及び傾斜ガイド６と対向するように一体形成することにより、上記筒体１の外側で且つ上記挟み片部２ａの軸方向中途位置に該支点３を配置させ、この支点３よりも頂端側に位置する挟み片部２ａの外面を、コイルスプリングからなる弾性材４の弾性方向と逆な径方向押圧部Ｐ１とすると共に、クリップ２の径方向へ延びる頂片部２ｂの外面を、弾性材４の弾性方向と逆な軸方向押圧部Ｐ２とした場合を示すものである。
【００１６】
前記キャップ１は、その頂端面１ｂが開口しており、この頂端開口部１ｃの口縁には、図２（ａ）に示す如く、上記クリップ２の頂片部２ｂが入り込む切欠部１ｄを形成する。
この頂端開口部１ｃの内面には、図３（ａ）（ｂ）に示す如く、前記弾性材４であるコイルスプリングの端部と係合する係止部１ｅを設け、この係止部１ｅからクリップ２の頂片部２ｂの内面に亘ってコイルスプリング４を弾装し、このコイルスプリング４の弾性力によって、クリップ２を閉動して、その挟み片部２ａの先端側内面に一体形成された玉部２eを、キャップ１の外周面１ａへ向け接近させるか又は接触させている。
【００１７】
この係止部１ｅとして、図示例の場合には、頂端開口部１ｃの内周面に複数のリブ１ｅを周方向へ適宜間隔毎に突設し、これらリブ１ｅの間に形成される空間によって末端開口１ｆへ向けて常時連通する通気路７を形成している。
なお、前記係止部１ｅは、コイルスプリング４の端部と係合すればリブ以外の構造であっても良く、更に必要に応じて、係止部１ｅの末端側には、図３（ａ）（ｂ）に二点鎖線で示す如く、ペン先Ｐと係合するシール材１ｇを具備することも可能である。
【００１８】
上記クリップ２の挟み片部２ａの外面に配置された径方向押圧部Ｐ１の表面には、滑り止め部２ｃを形成して、径方向押圧部Ｐ１を押圧する指が滑らないようにすることが好ましい。
この滑り止め部２ｃとしては、図１及び図２に示す如く、径方向押圧部Ｐ１の頂端側に隣接して突起を形成しても良いし、この突起に代えるか或いは追加して、該径方向押圧部Ｐ１の表面に凹溝などの凹凸（図示せず）を形成したり、ラバーやエラストマー樹脂などを一体的に設けることも可能である。
【００１９】
更に、上記挟み片部２ａには、前記キャップ１に突設された支持台５と対向する位置に
貫通孔２ｄを形成することにより、クリップ２の閉動時に支持台５の外端部分と接触しないようにすると共に、上記支点３の凹部３ａと凸部３ｂとの嵌め合い時に該挟み片部２ａを弾性変形し易くしている。
なお、この貫通孔２ｄは、クリップ２を合成樹脂で一体成形する際に成型形を抜くためにも必要となるが、孔無しで成形できれば貫通孔２ｄに代えて凹部を形成することにより、支持台５の外端部分と接触しないようにすると共に、上記支点３の凹部３ａと凸部３ｂとの嵌め合い時に挟み片部２ａを弾性変形し易くしても良い。
【００２０】
そして、上記支持台５は、キャップ１の軸方向へ直線状に延びる起立面部５ａと、この起立面部５ａの外側先端（図１，３では上側先端）に沿って断面略Ｔ字形に突設されるストッパー部５ｂとからなり、この起立面部５ａには、支点３の凹部３ａ及び傾斜ガイド６が形成される。
【００２１】
詳しくは、起立面部５ａの軸方向と直交する方向へ背中合わせに配置される両面に、支点３の凹部３ａと傾斜ガイド６を、キャップ１の頂端面１ｂ側から末端開口１ｆ側へ向かって順次夫々一対ずつ配置している。
なお、上記クリップ２を成形する上での理由から、これら凹部３ａを背中合わせに一対凹設しているが、これら両者を貫通させて一体化することも可能である。
【００２２】
この傾斜ガイド６は、少なくとも起立面部５ａに、キャップ１の頂端面１ｂ側から末端開口１ｆ側へ向かって徐々に拡開するように傾斜され、この傾斜面６ａに沿って上記クリップ２の一対の凸部３ｂの先端を摺動させることにより、これら凸部３ｂの間隔が徐々に広がるようにクリップ２の挟み片部２ａを弾性変形させながら凹部３ａへ向け案内する。
【００２３】
更に、前記傾斜ガイド６として、互いに対向するキャップ１の外周面１ａとストッパー部５ｂの内面を、キャップ１の頂端面１ｂ側から末端開口１ｆ側へ向かって徐々に狭くなるように夫々傾斜させ、これら傾斜ガイド面６ｂ，６ｃに沿って凸部３ｂを凹部３ａへ向け誘導するようにしている。
【００２４】
また、これら傾斜ガイド６の傾斜面６ａと対向する両凸部３ｂの先端面には、その一部又は全面を該傾斜面６ａと略平行に夫々傾斜させることにより、傾斜面６ａとの位置合わせ作業を容易にしている。
【００２５】
次に、斯かるクリップ取り付け装置の作用効果について説明する。
先ず、このクリップ取り付け装置を組み立てる時には、図１及び図２（ａ）に示す如く、クリップ２の挟み片部２ａの内面に突設された一対の凸部３ｂを、キャップ１の外周面１ａに突設された支持台５の傾斜ガイド６に沿って頂端面１ｂ側から末端開口１ｆ側へ向けて軸方向へスライド操作すれば、これら凸部３ｂの間隔が傾斜ガイド６の傾斜面６ａにより徐々に広がると同時に、傾斜ガイド面６ｂ，６ｃにより誘導されてスムーズに凹部３ａへ侵入し嵌め合う。
それにより、これら凸部３ｂを中心としてクリップ２が回転自在に連結される。
【００２６】
このような組立完成状態で、図３（ｂ）に示す如く、前記凸部３ｂよりも頂端側に配置された径方向押圧部Ｐ１を、指などによりキャップ１に向けて径方向へ押圧するか、或いは頂片部２ｂの外面に配置された軸方向押圧部Ｐ２を、指などによりキャップ１に向けて軸方向へ押圧すれば、弾性材４のコイルスプリングが圧縮変形すると同時に、前記凸部３ｂの曲面部３ｄが凹部３ａの内周面に沿って回転し、それにより挟み片部２ａが開動する。
その結果、径方向と軸方向の双方（二方向）のどちらからクリップ２を押しても開動させることができるという利点がある。
【００２７】
更に、キャップ１は、その頂端面１ｂとクリップ２の頂片部２ｂとの間に形成される隙間と周方向へ適宜間隔毎に突設されたリブ１ｅ間の空間などにより、頂端開口部１ｃから末端開口１ｆへ向け常時連通する通気路７が形成されて貫通構造となるため、乳児や幼児などの子供が誤飲しても窒息などの事故が発生し難いという利点がある。
【００２８】
尚、上記クリップ取り付け装置の実施例１によれば、上記筒体１がその頂端面１ｂを開口した合成樹脂製のキャップである場合を示したが、これに限定されず、軸筒８にクリップ２を取り付ける場合には、この軸筒８の外周面に実施例１と同様にクリップ２を回転自在に連結するか、或いは凹部３ａと凸部３ｂの嵌め合わせにより、弾性変形可能な材質からなるクリップ２の内側端部を筒体１に対して回転不能に連結し、このクリップ２の弾性変形を利用して開閉動させるように支持しても良い。
【００２９】
更に、上記支持台５に凹部３ａと傾斜ガイド６を形成すると共にクリップ２の挟み片部２ａの内面に一対の凸部３ｂを一体形成したが、これに限定されず、図示せぬが支持台５に凸部３ｂを設け、挟み片部２ａの内面に一対の凹部３ａと傾斜ガイド６を設けるなど、凹部３ａと凸部３ｂの嵌め合いで回転自在に連結できれば、それ以外の連結構造でも良い。
【００３０】
また、筒体１の外側で且つ略Ｌ字形のクリップ２の挟み片部２ａの軸方向中途位置に支点３を配置し、この支点３よりも頂端側に位置する挟み片部２ａの外面を、弾性材４の弾性方向と逆な径方向押圧部Ｐ１とすると共に、頂片部２ｂの外面を、弾性材４の弾性方向と逆な軸方向押圧部Ｐ２としたが、これに限定されず、略Ｌ字形以外の形状のクリップ２を取り付けたり、筒体１の外側以外の箇所に支点３を配置しても良い。
【００３１】
また更に、上記キャップ１の頂端開口部１ｃとクリップ２の頂片部２ｂとの間に、弾性材４としてコイルスプリングを介装したが、これも限定されず、図示せぬがコイルスプリングに代えて板バネやコイルバネやゴムなどを介装したり、更にキャップ１の外周面１ａとクリップ２の挟み片部２ａの内面との間にコイルバネや板バネやゴムなどを介装しても良い。この場合でも実施例１と同様な作用効果が得られる。
【図面の簡単な説明】
【００３２】
【図１】本発明のクリップ取り付け装置の一実施例を示す分解斜視図で要部を一部切欠して示している。
【図２】同正面図であり、（ａ）がクリップ取り付け前の状態を示し、（ｂ）がクリップ取り付け後の状態を示している。
【図３】同縦断正面図であり、（ａ）はクリップの閉動状態を示し、支点部分を図２（ｂ）の（IIIＡ）−（IIIＡ）線に沿って断面している。（ｂ）はクリップの開動状態を示し、支点部分を図２（ｂ）の（IIIＢ）−（IIIＢ）線に沿って断面している。要部を一部切欠して示す分解斜視図である。
【符号の説明】
【００３３】
Ａ  筆記具                            １  筒体（キャップ）
２  クリップ                          ３  支点
３ａ  凹部                            ３ｂ  凸部
３ｃ  平坦部分                        ４  弾性材
６  傾斜ガイド
【図１】
2006289726.tif 000003
【図２】
2006289726.tif 000004
【図３】
2006289726.tif 000005